(57)【要約】  【課題】庫内の除湿効果を飛躍的に向上させて、より低湿度を実現可能な保管庫を提供する。  【解決手段】保管庫１は、内壁１４および外壁１５からなる二重壁構造の背壁１３と、背壁１３の内壁１４および外壁１５で区切られた緩衝室１６と、取込口から取り込んだ庫内１０の空気を除湿して給気口から庫内１０へ給気するとともに、除湿により庫内１０の空気から回収した水分を気化して排気口から緩衝室１６内に排気する第一除湿ユニット２Ａと、取込口から取り込んだ緩衝室１６内の空気を除湿して給気口から緩衝室１６内へ給気するとともに、除湿により緩衝室１６内の空気から回収した水分を気化して排気口から庫外に排気する第二除湿ユニット２Ｂと、を備えている。【選択図】図２
2019122883.tif 000002
【特許請求の範囲】
【請求項１】
庫内を除湿する保管庫であって、
隣接する壁で区切られた緩衝室を少なくとも一つ形成する多重壁構造の壁面と、
前記壁面の多重壁を構成する壁毎に設けられ、取込口から取り込んだ前記庫内側の空気を除湿して給気口から前記庫内側へ給気するとともに、当該除湿した前記庫内側の空気中の水分を気化して排気口から庫外側に排気する除湿ユニットと、を備える
ことを特徴する保管庫。
【請求項２】
請求項１に記載の保管庫であって、
前記除湿ユニットの前記排気口は、
前記壁面の多重壁を構成する壁のうち、当該除湿ユニットが設けられた壁よりも前記庫外側に位置する壁に設けられた前記除湿ユニットの前記取込口より低い位置に配置されている
ことを特徴とする保管庫。
【請求項３】
請求項１または２に記載の保管庫であって、
前記除湿ユニットは、
当該除湿ユニットの前記排出口を含む少なくとも一部を当該除湿ユニットが設けられた壁から前記庫外側に露出している
ことを特徴とする保管庫。
【請求項４】
請求項１ないし３のいずれか一項に記載の保管庫であって、
前記除湿ユニットを制御する制御手段をさらに備え、
前記除湿ユニットは、
加熱再生可能な乾燥剤が充填された乾燥装置と、
前記乾燥装置と前記庫内側との空気循環、および前記乾燥装置と前記庫外側との空気循環を択一的に行わせるためのシャッタと、
前記乾燥装置に充填された乾燥剤を加熱するヒータと、を有し、
前記制御手段の制御により、前記シャッタに前記乾燥装置内と前記庫内側との間を空気循環させて、前記乾燥装置内に充填された乾燥剤により前記庫内側を除湿する除湿処理、および、前記シャッタに前記乾燥装置内と前記庫外側との間を空気循環させるとともに、前記ヒータを動作させて前記乾燥装置内に充填された乾燥剤を加熱することにより、当該乾燥剤を脱湿する加熱再生処理を、択一的に実施し、
前記制御手段は、
前記壁面の多重壁を構成する壁のうち隣接する壁に設けられた前記除湿ユニット間において前記加熱再生処理の実施タイミングが重複しないように前記除湿ユニットを制御する
ことを特徴とする保管庫。
【請求項５】
請求項４に記載の保管庫であって、
前記制御手段は、
所定時間毎に前記壁面の多重壁を構成する壁毎に設けられた前記除湿ユニットの前記加熱再生処理を順番に実施する
ことを特徴とする保管庫。
【請求項６】
請求項４に記載の保管庫であって、
前記制御手段は、
いずれかの前記除湿ユニットの前記加熱再生処理の実施タイミングが到来したときに、前記壁面の多重壁を構成する壁のうち、当該除湿ユニットが設けられた壁と隣接する壁に設けられた他の前記除湿ユニットの前記加熱再生処理を実施中あるいは実施終了から所定時間経過前ならば、当該他の前記除湿ユニットの前記加熱再生処理の実施終了から所定時間経過するのを待って、当該いずれかの前記除湿ユニットの前記加熱再生処理を実施する
ことを特徴とする保管庫。
【発明の詳細な説明】
【技術分野】
【０００１】
本発明は、庫内を除湿する保管庫に関する。
【背景技術】
【０００２】
従来、精密機器、食品、化学薬品等の保管品を保管する庫内を除湿する除湿ユニットを備えた保管庫が知られている（例えば特許文献１）。この種の保管庫に用いられる除湿ユニットは、乾燥装置と、乾燥装置と庫内との空気循環および乾燥装置と庫外との空気循環を択一的に行わせるためのシャッタと、を有する。乾燥装置は、乾燥装置内に充填された球状、ペレット状等の加熱再生可能な乾燥剤と、乾燥剤を加熱再生するための乾燥剤用ヒータと、を有する。
【０００３】
除湿ユニットは、シャッタにより乾燥装置内と庫内との間を空気循環させて、乾燥装置内に充填された乾燥剤が空気中の水分を吸着することにより庫内の空気を除湿する（除湿処理）。また、シャッタにより乾燥装置内と庫外との間を空気循環させるとともに、定期的に乾燥剤用ヒータを動作させて吸湿した乾燥剤を加熱することにより、乾燥剤に溜まった水分を気化して庫外に排気し乾燥剤の乾燥能力を再生させる（加熱再生処理）。これらの処理を繰り返し行うことにより庫内を低湿度化する。
【先行技術文献】
【特許文献】
【０００４】
【特許文献１】特開２０１６−１２０４４６号公報
【発明の概要】
【発明が解決しようとする課題】
【０００５】
ところで、特許文献１に記載の保管庫において、庫内の除湿効果を向上させるためには、乾燥装置内の乾燥剤の充填量を増やす、除湿ユニットを追加するなどの対策が考えられる。しかしながら、除湿ユニットの取付け部分等から庫内に外気が侵入して、庫内の湿度に影響するため、いずれの対策によっても除湿効果の飛躍的な向上を実現することは困難である。
【０００６】
本発明は、上記事情に鑑みてなされたものであり、その目的は、庫内の除湿効果を飛躍的に向上させて、より低湿度を実現可能な保管庫を提供することにある。
【課題を解決するための手段】
【０００７】
上記課題を解決するために、本発明では、保管庫の少なくともいずれか１つの壁面を、隣接する壁で区切られた緩衝室を少なくとも一つ形成する多重壁構造とする。そして、この壁面の多重壁を構成する壁毎に、庫内側を除湿する除湿ユニットを、除湿した庫内側の空気中の水分を含む空気の排気先が庫外側となるように設置する。ここで、除湿ユニットの排気口を、この除湿ユニットが設けられた壁よりも庫外側に位置する壁に設けられた除湿ユニットの取込口より低い位置に配置することが好ましい。また、除湿ユニット各々の加熱再生処理が同時に実施されないように、これらの除湿ユニットの加熱再生処理の実施タイミングを制御することが好ましい。
【０００８】
例えば、本発明は、
庫内を除湿する保管庫であって、
隣接する壁で区切られた緩衝室を少なくとも一つ形成する多重壁構造の壁面と、
前記壁面の多重壁を構成する壁毎に設けられ、取込口から取り込んだ前記庫内側の空気を除湿して給気口から前記庫内側へ給気するとともに、当該除湿した前記庫内側の空気中の水分を気化して排気口から庫外側に排気する除湿ユニットと、を備える。
【発明の効果】
【０００９】
本発明によれば、保管庫の少なくともいずれか１つの壁面を多重壁構造とすることにより、庫内と庫外との間に緩衝室を少なくとも一つ設け、壁面の多重壁を構成する壁毎に、庫内側を除湿する除湿ユニットを、除湿した庫内側の空気中の水分を含む空気の排気先が庫外側となるように設置するので、壁面の多重壁を構成する壁のうち庫内を画定する壁に設けられた除湿ユニットの取付け部分等から庫内に侵入する外気が、他の除湿ユニットによって除湿された緩衝室内の空気となり、庫内への影響を小さくすることができる。このため、庫内の除湿効果を飛躍的に向上させて、より低湿度を実現可能な保管庫を提供できる。
【図面の簡単な説明】
【００１０】
【図１】図１は、本発明の一実施の形態に係る保管庫１の概略正面図である。
【図２】図２は、図１に示す保管庫１のＡ−Ａ概略断面図および制御盤３の機能構成図である。
【図３】図３は、除湿ユニット２の概略断面図である。
【発明を実施するための形態】
【００１１】
以下に、本発明の一実施の形態について、図面を参照して説明する。
【００１２】
図１は、本実施の形態に係る保管庫１の概略正面図である。また、図２は、図１に示す保管庫１のＡ−Ａ概略断面図および制御盤３の機能構成図である。
【００１３】
本実施の形態に係る保管庫１は、例えば露点温度−５０℃以下の超低湿度環境が要求される二次電池材料、有機ＥＬ封止装置等の保管品を保管する。図１および図２に示すように、保管庫１は、前面１１に設けられ、庫内１０にアクセスするための扉１２と、内壁１４および外壁１５からなる二重壁構造の背壁１３と、背壁１３の内壁１４および外壁１５で区切られた緩衝室１６と、庫内１０を除湿するための第一除湿ユニット２Ａと、緩衝室１６内を除湿するための第二除湿ユニット２Ｂと、第一除湿ユニット２Ａおよび第二除湿ユニット２Ｂを制御する制御盤３と、前面１１等に配置された操作パネル４と、庫内１０の温度、湿度等を測定するセンサ５と、を備えている。
【００１４】
操作パネル４は、各種指示、設定情報等をユーザから受け付けるためのボタン、キー等の入力装置と、各種設定情報、動作状態、環境情報等をユーザに知らせるための液晶パネル、ＬＥＤ等の表示装置と、を備えている。
【００１５】
第一除湿ユニット２Ａおよび第二除湿ユニット２Ｂ（以下、単に除湿ユニット２とも呼ぶ）は、ゼオライト、シリカゲル等の加熱再生可能な乾燥剤を用いて、庫内１０および緩衝室１６内をそれぞれ除湿する。
【００１６】
図３は、除湿ユニット２の概略断面図である。
【００１７】
図示するように、除湿ユニット２は、背壁１３の内壁１４、外壁１５に形成された開口部１４０、１５０を塞ぐように設置されている。除湿ユニット２は、少なくとも１台の乾燥装置２０と、ファン２１と、乾燥装置２０およびファン２１を収容するハウジング２２と、シャッタ２３ａ、２３ｂと、を備えている。
【００１８】
ハウジング２２は、除湿・給気側（第一除湿ユニット２Ａでは庫内１０、第二除湿ユニット２Ｂでは緩衝室１６）から空気Ｂ１をハウジング２２内に取り込むための取込口２４ａ、２４ｂと、ハウジング２２内の空気Ｂ２を除湿・給気側に給気するための給気口２５ａ、２５ｂと、排気側（第一除湿ユニット２Ａでは緩衝室１６、第二除湿ユニット２Ｂでは庫外（保管庫１の外側））から空気Ａ１をハウジング２２内に取り込むための取込口２６ａ、２６ｂと、ハウジング２２内の空気Ａ２を排気側に排気するための排気口２７ａ、２７ｂと、を有している。
【００１９】
ファン２１は、ハウジング２２の取込口２４ａ、２４ｂおよび給気口２５ａ、２５ｂ、あるいは取込口２６ａ、２６ｂおよび排気口２７ａ、２７ｂを介して、ハウジング２２内と除湿・給気側との間、あるいはハウジング２２内と排気側との間で強制的に空気循環させるために駆動される。
【００２０】
乾燥装置２０は、乾燥装置２０内に充填された球状、ペレット状等の乾燥剤２０１と、乾燥装置２０内に乾燥剤２０１とともに収容された乾燥剤用ヒータ２０２と、を有している。乾燥装置２０は、乾燥剤２０１で吸湿することにより、除湿・給気側からハウジング２２内に取り込まれた空気Ｂ１を除湿する。また、乾燥剤用ヒータ２０２により乾燥剤２０１を加熱することにより、乾燥剤２０１が吸湿した水分を気化してハウジング２２内から排気側へ排気する。
【００２１】
乾燥剤２０１は、ゼオライト、シリカゲル等の加熱再生可能な乾燥剤であり、除湿・給気側（第一除湿ユニット２Ａでは庫内１０、第二除湿ユニット２Ｂでは緩衝室１６）の空気を十分に除湿できるように除湿・給気側のスペースに応じて定められた量が乾燥装置２０に充填されている。図示していないが、乾燥装置２０には、乾燥剤２０１の粒径より狭い幅のスリットが複数形成されている。乾燥剤２０１は、ハウジング２２に取り込まれた空気Ｂ１にこのスリットを介して接触してハウジング２２内を除湿する。
【００２２】
乾燥剤用ヒータ２０２は、制御盤３の制御により乾燥装置２０内に充填された乾燥剤２０１を加熱して乾燥剤２０１に溜まった水分を気化し、乾燥能力を再生する。
【００２３】
シャッタ２３ａは、除湿・給気側の取込口２４ａおよび排気側の取込口２６ａを互いに排他的に開閉する。また、シャッタ２３ｂは、除湿・給気側の給気口２５ａおよび排気側の排気口２７ａを互いに排他的に開閉する。
【００２４】
なお、除湿ユニット２は、排気側の取込口２６ｂおよび排気口２７ｂを含むハウジング２２の少なくとも一部が、排気側（第一除湿ユニット２Ａでは緩衝室１６、第二除湿ユニット２Ｂでは庫外）に露出するように、背壁１３の内壁１４（第一除湿ユニット２Ａの場合）あるいは外壁１５（第二除湿ユニット２Ｂの場合）に配置される。
【００２５】
また、除湿ユニット２は、背壁１３の内壁１４に設置された第一除湿ユニット２Ａの排気口２７ｂが、背壁１３の外壁１５に設置された第二除湿ユニット２Ｂの除湿・給気側の取込口２４ｂよりも低い位置となるように、配置されている。
【００２６】
図２に戻って説明を続ける。制御盤３は、センサＩＦ部３０と、操作パネルＩＦ部３１と、第一除湿ユニットＩＦ部３２と、第二除湿ユニットＩＦ部３３と、主制御部３４と、を備えている。
【００２７】
センサＩＦ部３０は、主制御部３４をセンサ５に接続するためのインターフェースである。操作パネルＩＦ部３１は、主制御部３４を操作パネル４に接続するためのインターフェースである。そして、第一除湿ユニットＩＦ部３２および第二除湿ユニットＩＦ部３３は、主制御部３４を第一除湿ユニット２Ａおよび第二除湿ユニット２Ｂにそれぞれ接続するためのインターフェースである。
【００２８】
主制御部３４は、センサＩＦ部３０を介してセンサ５より庫内１０の温度、湿度等の情報を受信する。そして、操作パネルＩＦ部３１を介して操作パネル４に、センサ５より受信した庫内１０の温度、湿度等の情報を表示する。また、主制御部３４は、操作パネルＩＦ部３１を介して操作パネル４よりユーザの指示を受信する。そして、操作パネル４より受信したユーザの指示に従い、第一除湿ユニットＩＦ部３２および第二除湿ユニットＩＦ部３３を介して第一除湿ユニット２Ａおよび第二除湿ユニット２Ｂを制御し、庫内１０および緩衝室１６内を除湿する。
【００２９】
主制御部３４は、具体的には第一除湿ユニット２Ａをつぎのように制御する。
【００３０】
すなわち、ハウジング２２の内部を庫内１０にのみ開放した状態（除湿・給気側の取込口２４ａ：開、排気側の取込口２６ａ：閉、給気口２５ａ：開、排気口２７ａ：閉）で、必要に応じてファン２１を回転させる第一除湿処理、および、ハウジング２２の内部を一定時間（例えば１時間）だけ緩衝室１６にのみ開放した状態（除湿・給気側の取込口２４ａ：閉、排気側の取込口２６ａ：開、給気口２５ａ：閉、排気口２７ａ：開）で、乾燥剤用ヒータ２０２を動作させて乾燥剤２０１を加熱しつつ、必要に応じてファン２１を回転させる第一加熱再生処理を、択一的に実施する。
【００３１】
第一除湿処理により、庫内１０の湿った空気Ｂ１が、ハウジング２２内に取り込まれて、乾燥装置２０の乾燥剤２０１により吸湿され、その後、乾いた空気Ｂ２として庫内１０に給気されて、庫内１０が除湿される。また、第一加熱再生処理により、緩衝室１６の空気Ａ１が、ハウジング２２内に取り込まれ、乾燥剤用ヒータ２０２の加熱で乾燥剤２０１から気化した水分を含む湿った空気Ａ２として緩衝室１６に排気されて、乾燥剤２０１が乾燥する。
【００３２】
また、主制御部３４は、具体的には第二除湿ユニット２Ｂをつぎのように制御する。
【００３３】
すなわち、ハウジング２２の内部を緩衝室１６にのみ開放した状態（除湿・給気側の取込口２４ａ：開、排気側の取込口２６ａ：閉、給気口２５ａ：開、排気口２７ａ：閉）で、必要に応じてファン２１を回転させる第二除湿処理、および、ハウジング２２の内部を一定時間（例えば１時間）だけ庫外にのみ開放した状態（除湿・給気側の取込口２４ａ：閉、排気側の取込口２６ａ：開、給気口２５ａ：閉、排気口２７ａ：開）で、乾燥剤用ヒータ２０２を動作させて乾燥剤２０１を加熱しつつ、必要に応じてファン２１を回転させる第二加熱再生処理を、択一的に実施する。
【００３４】
第二除湿処理により、緩衝室１６内の湿った空気Ｂ１が、ハウジング２２内に取り込まれて、乾燥装置２０の乾燥剤２０１に吸湿され、その後、乾いた空気Ｂ２として緩衝室１６に給気されて、緩衝室１６が除湿される。また、第二加熱再生処理により、庫外（保管庫１の外側）の空気Ａ１が、ハウジング２２内に取り込まれ、乾燥剤用ヒータ２０２の加熱で乾燥剤２０１から気化した水分を含む湿った空気Ａ２として庫外に排気されて、乾燥剤２０１が乾燥する。
【００３５】
ここで、主制御部３４は、第一加熱再生処理および第二加熱再生処理の実施タイミングが重ならないように調整している。例えば、操作パネル４を介してユーザから第一加熱再生処理および第二加熱再生処理に共通の加熱再生インターバルが設定されている場合、加熱再生インターバル毎に第一加熱再生処理および第二加熱再生処理を交互に実施する。あるいは、操作パネル４を介してユーザから第一加熱再生処理および第二加熱再生処理それぞれについて個別に加熱再生インターバルが設定されている場合、第一加熱再生処理および第二加熱再生処理をそれぞれの加熱再生インターバル毎に実施する。そして、第一加熱再生処理および第二加熱再生処理のいずれか一方の加熱再生処理の実施タイミングが到来したときに、他方の加熱再生処理を実施中あるいは他方の加熱再生処理の実施終了から所定時間（例えば１時間）を経過する前ならば、他方の加熱再生処理の実施終了から所定時間を経過するのを待って一方の加熱再生処理を実施する。
【００３６】
以上、本発明の一実施の形態について説明した。
【００３７】
本実施の形態では、保管庫１の背壁１３を二重壁構造とすることにより、この二重壁で区切られた緩衝室１６を設け、庫内１０を除湿する第一除湿ユニット２Ａを、除湿した庫内１０の空気中の水分を含む空気の排気先が緩衝室１６内となるように設置するとともに、緩衝室１６内を除湿する第二除湿ユニット２Ｂを、除湿した緩衝室１６内の空気中の水分を含む空気の排気先が庫外となるように設置している。このため、第一除湿ユニット２Ａの取付け部分等から庫内１０に侵入する外気が、第二除湿ユニット２Ｂにより除湿された緩衝室１６内の空気となり、庫内１０の環境への影響を小さくすることができる。したがって、本実施の形態によれば、庫内１０の除湿効果を飛躍的に向上させて、例えば露点温度−５０℃以下の超低湿度環境が要求される二次電池材料、有機ＥＬ封止装置等の保管品を保管するのに好適な保管庫１を提供することができる。
【００３８】
また、本実施の形態では、背壁１３の内壁１４に設置された第一除湿ユニット２Ａの排気口２７ｂが、背壁１３の外壁１５に設置された第二除湿ユニット２Ｂの除湿・給気側の取込口２４ｂよりも低い位置となるように、第一除湿ユニット２Ａおよび第二除湿ユニット２Ｂを配置している。ここで、第一除湿ユニット２Ａの排気口２７ｂから排気される湿った空気Ａ２は、乾燥剤用ヒータ２０２により加熱されているので上昇し、第一除湿ユニット２Ａの排気口２７ｂよりも高い位置に設置された第二除湿ユニット２Ｂの除湿・給気側の取込口２４ｂから第二除湿ユニット２Ｂ内に効率的に取り込まれる。したがって、本実施の形態によれば、緩衝室１６を効率よく除湿することができ、これにより、庫内１０の除湿効率を向上させることができる。
【００３９】
また、本実施の形態において、第一除湿ユニット２Ａは、排気側の取込口２６ｂおよび排気口２７ｂを含むハウジング２２の少なくとも一部が緩衝室１６に露出するように背壁１３の内壁１４に配置され、第二除湿ユニット２Ｂは、排気側の取込口２６ｂおよび排気口２７ｂを含むハウジング２２の少なくとも一部が庫外に露出するように背壁１３の外壁１５に配置されている。このため、第一加熱再生処理時に発生する熱の緩衝室１６への放熱効果および第二加熱再生処理時に発生する熱の庫外への放熱効率を高めることができるので、第一加熱再生処理および第二加熱再生処理により発生する熱が庫内１０に与える影響を低減することができ、これにより、第一加熱再生処理時および第二加熱再生処理時における庫内１０の温度上昇を抑制して、庫内１０の温度環境を安定させることができる。
【００４０】
また、本実施の形態では、第一加熱再生処理および第二加熱再生処理の実施タイミングが重ならないように調整している。具体的には、加熱再生インターバル毎に第一加熱再生処理および第二加熱再生処理を交互に実施する。あるいは、第一加熱再生処理および第二加熱再生処理をそれぞれの加熱再生インターバル毎に実施し、第一加熱再生処理および第二加熱再生処理のいずれか一方の加熱再生処理の実施タイミングが到来したときに、他方の加熱再生処理を実施中あるいは他方の加熱再生処理の実施終了から所定時間を経過する前ならば、他方の加熱再生処理の実施終了から所定時間を経過するのを待って一方の加熱再生処理を実施する。このようにすることにより、第一加熱再生処理による温度上昇と第二加熱再生処理による温度上昇とを分散させて、庫内１０に与える影響をさらに低減することができ、庫内１０の温度環境をさらに安定させることができる。
【００４１】
なお、本発明は、上記の実施の形態に限定されるものではなく、その要旨の範囲内で数々の変形が可能である。
【００４２】
例えば、上記の実施の形態では、背壁１３を二重壁構造にして、背壁１３の内壁１４および外壁１５で区切られた緩衝室１６を設けているが、本発明はこれに限定されない。側壁、天井、底面等のいずれかの壁面を二重壁構造にして、この壁面の二重壁により区切られた緩衝室を設けたものであればよい。また、複数の壁面を二重構造にしてもよいし、扉１２を二重構造にしてもよい。
【００４３】
また、上記の実施の形態において、除湿ユニット２のファン２１を省略してもよい。また、操作パネル４を省略してもよい。なお、操作パネル４を省略する場合、各除湿ユニット２の加熱再生インターバルは予め制御盤３に設定されているものとする。
【００４４】
また、上記の実施の形態では、一台の制御盤３で第一除湿ユニット２Ａおよび第二除湿ユニット２Ｂを制御しているが、第一除湿ユニット２Ａおよび第二除湿ユニット２Ｂのそれぞれに制御盤を設けて、第一除湿ユニット２Ａおよび第二除湿ユニット２Ｂを、それぞれ対応する制御盤で個別に制御するようにしてもよい。
【００４５】
また、上記の実施の形態では、背壁１３を二重壁構造にして、この二重壁を構成する内壁１４および外壁１５のそれぞれに除湿ユニット２を設けているが、本発明はこれに限定されない。本発明は、背壁、側壁、天井、底面等のいずれかの壁面を、隣接された壁で区切られた緩衝室を少なくとも一つ形成することができる多重壁構造にして、この多重壁を構成する壁毎に、除湿ユニット２を設けたものであればよく、例えば、三重壁構造あるいは四重壁構造としてもよい。
【００４６】
この場合、除湿ユニット２の排気口２７ｂは、この除湿ユニット２が設けられた壁よりも庫外側に位置する壁に設けられた除湿ユニット２の取込口２４ｂより低い位置に配置することが好ましい。また、除湿ユニット２は、この除湿ユニット２の排出口２７ｂを含む少なくとも一部をこの除湿ユニット２が設けられた壁から庫外側に露出させることが好ましい。また、制御盤３は、所定時間毎に、壁面の多重壁を構成する壁毎に設けられた除湿ユニット２の加熱再生処理を順番に実施するか、あるいは、いずれかの除湿ユニット２の加熱再生処理の実施タイミングが到来したときに、壁面の多重壁を構成する壁のうち、この除湿ユニット２が設けられた壁と隣接する壁に設けられた他の除湿ユニット２の加熱再生処理を実施中あるいは実施終了から所定時間経過前ならば、この他の除湿ユニット２の加熱再生処理の実施終了から所定時間経過するのを待ち、それから、このいずれかの除湿ユニット２の加熱再生処理を実施することが好ましい。
【００４７】
また、上記の実施の形態において、制御盤３の機能構成（図２参照）は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、およびＨＤＤ等の補助記憶装置を備えた汎用コンピュータにおいて、ＣＰＵが所定のプログラムを補助記憶装置からメモリ上にロードして実行することで実現されるものでもよい。
【符号の説明】
【００４８】
１：保管庫    ２：除湿ユニット    ２Ａ：第一除湿ユニット    ２Ｂ：第二除湿ユニット    ３：制御盤    ４：操作パネル    ５：センサ    １０：庫内    １１：前面    １２：扉    １３：背壁    １４：内壁    １５：外壁    １６：緩衝室    ２０：乾燥装置    ２１：ファン    ２２：ハウジング    ２３ａ，２３ｂ：シャッタ    ２４ａ，２４ｂ：除湿・給気側の取込口    ２５ａ，２５ｂ：給気口    ２６ａ，２６ｂ：排気側の取込口    ２７ａ，２７ｂ：排気口    ３０：センサＩＦ部    ３１：操作パネルＩＦ部    ３２：第一除湿ユニットＩＦ部    ３３：第二除湿ユニットＩＦ部    ３４：主制御部    １４０：内壁１４の開口部    １５０：外壁１５の開口部    ２０１：乾燥剤    ２０２：乾燥剤用ヒータ
【図１】
2019122883.tif 000003
【図２】
2019122883.tif 000004
【図３】
2019122883.tif 000005